(57)【要約】【課題】針金や紐等を使用した不正解錠手段によって、サムターン装置のサムターン軸が解錠方向に回動できないようにした、サムターン装置とそのサムターン装置を備えた扉錠の提供。【解決手段】サムターン装置１０は、その先端部１２ａがハブ４に接続されるサムターン軸１２と、このサムターン軸１２を回動自在に軸受する座２０と、サムターン軸１２の基端部に設けられサムターン軸１２を回動させるための摘み３０とを備える。摘み３０には、当り歯３４が設けられており、扉７０の室内側面には、座２０が固定されている。座２０には、摘み３０がサムターン軸１２に対して傾動した際に、摘み３０の当り歯３４に噛合い可能な回動阻止歯２２が複数個設けられている。【選択図】      図３
2004176345.tif 000002
【特許請求の範囲】
【請求項１】
摘みの回動操作によりサムターン軸を回動させ、そのサムターン軸の回動動作でデッドボルトを進退させるサムターン装置であって、
前記摘みは、サムターン軸に対して傾動可能に保持されており、傾動した傾斜状態ではその回動が防止されるよう構成されている
ことを特徴とするサムターン装置。
【請求項２】
前記サムターン軸の基端部には、前記摘みがピンを介して接続されており、
ピン周りにサムターン軸に対して傾斜した状態での摘みの回動を防止する回動阻止部が、摘みを回動自在に保持する座に設けられる
ことを特徴とする請求項１に記載のサムターン装置。
【請求項３】
前記摘みには、フランジ部が設けられ、この摘みが傾動されサムターン軸に対して傾斜した際、前記回動阻止部に当接して摘みの回動を防止する当り部がそのフランジ部の端面に設けられ、
回動阻止部は、フランジ部に対面する前記座の端面に設けられる
ことを特徴とする請求項２に記載のサムターン装置。
【請求項４】
請求項１から請求項３までのいずれかに記載のサムターン装置を備えたことを特徴とする扉錠。
【発明の詳細な説明】
【０００１】
【発明の属する技術分野】
本発明は、不正な解錠を防止できるサムターン装置とそのサムターン装置を備えた扉錠に関するものである。
【０００２】
【従来の技術】
従来、この種の扉錠においては、扉の不正解錠行為の一つとして、扉錠を取り付けた扉と扉枠との隙間（いわゆるチリ）に針金や紐等の不正解錠手段を挿入し、この不正解錠手段で室内側に取り付けてあるサムターン装置のサムターン軸を解錠方向に回動して、デッドボルトを後退して解錠するという、不正解錠行為が知られている。
【０００３】
【発明が解決しようとする課題】
しかしながら、上記のような不正解錠行為に対して、本願出願人が知るところでは、適切に対応した公知技術は存在しない。
【０００４】
本発明は、上記従来の問題を解決しようとするものであり、簡単な構成により上記針金や紐等の不正解錠手段によっても、サムターン装置のサムターン軸が解錠方向に回動できないようにした、不正解錠ができないサムターン装置とそのサムターン装置を備えた扉錠を提供することを目的とする。
【０００５】
【課題を解決するための手段】
上記目的を達成するために、本発明のサムターン装置は、摘みの回動操作によりサムターン軸を回動させ、そのサムターン軸の回動動作でデッドボルトを進退させるサムターン装置であって、前記摘みは、サムターン軸に対して傾動可能に保持されており、傾動した傾斜状態ではその回動が防止されるよう構成されていることを特徴とする。
【０００６】
また、好ましくは上記構成に加えて、前記サムターン軸の基端部には、前記摘みがピンを介して接続されており、ピン周りにサムターン軸に対して傾斜した状態での摘みの回動を防止する回動阻止部が、摘みを回動自在に保持する座に設けられることを特徴とするサムターン装置である。
【０００７】
また、好ましくは上記構成に加えて、前記摘みには、フランジ部が設けられ、この摘みが傾動されサムターン軸に対して傾斜した際、前記回動阻止部に当接して摘みの回動を防止する当り部がそのフランジ部の端面に設けられ、回動阻止部は、フランジ部に対面する前記座の端面に設けられることを特徴とするサムターン装置である。
【０００８】
さらに、本発明は、上記いずれかのサムターン装置を備えた扉錠である。
【０００９】
【発明の実施の形態】
以下、本発明の扉錠とそのサムターン装置について、実施例に基づき更に詳細に説明する。
【００１０】
図１は、本発明の扉錠１とそのサムターン装置１０を示す図であり、（ａ）は室内側から見た正面図であり、（ｂ）は戸先側から見た側面図であり、（ｃ）は平面図である。また、図２は、図１（ｂ）の中央縦断面図（Ｘ―Ｘ断面図）である。
【００１１】
扉錠１は、箱状の錠ケース２を備えている。錠ケース２は、扉７０の戸先側端部の上下方向略中央部に埋設される。図２に示すように、錠ケース２のフロント裏板７にフロント板８が重ね合わされ、図１（ａ）に示すように、取付ネジ９により扉７０の戸先側端部に固定される。
【００１２】
錠ケース２には、扉７０を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。
【００１３】
また、デッドボルト３は、図１に示すように、錠ケース２に連結するように取り付けられた室内側のサムターン装置１０の操作、又は室外側のシリンダー５０を鍵Ｋにより操作することで出没、つまり前進又は後退が可能とされている。
【００１４】
図３は、図１（ｃ）のＹ―Ｙ拡大断面図であり、図４は、図１（ｂ）のＺ―Ｚ拡大断面図である。
図３，４に示すように、サムターン装置１０は、その先端部（１２ａ）が前記ハブ４の係合孔４ｂに係合されて接続されるサムターン軸１２と、このサムターン軸１２を回動自在に軸受する座２０と、サムターン軸１２の基端部に設けられサムターン軸１２を回動させるための摘み３０とを備える。
【００１５】
シリンダー５０は、従来公知の構成を採用でき、例えば、図３に示すように、扉７０に貫通した取付孔７１に前記サムターン装置１０と同軸的に取り付けてあり、鍵孔５２を有する内筒５１と、内筒５１を回動可能に嵌挿した外筒５３と、外筒５３を被覆するカラー５４とを備えている。
また、内筒５１と外筒５３とには、複数の下ピン孔５５又は上ピン孔５６が両者が連通するように形成され、下ピン孔５５に下ピン５７が上ピン孔５６に上ピン５８がそれぞれ挿入され、鍵Ｋを鍵孔５２に差し込んでいない状態、又は鍵が適合していない状態のときには、ピンバネ５９の付勢力によって上下両ピンの境界線は、内筒５１と外筒５３のシェアラインと不一致であるため、内筒５１を動かすことができない。鍵孔５２に適合する鍵Ｋを挿入した場合には、上下両ピンの境界線とシェアラインとが一致するため内筒５１を回動することができ、デッドボルト３を出没して施解錠できるようになっている。
なお、上記シリンダー５０の内筒５１の室内側端部には、ハブ４を操作するための操作杆６０が連結されている。この操作杆６０とハブ４のハブ孔４ｂとの係合状態は、回動方向に約９０°のアソビを設けるようにして係合してある。このことにより、シリンダー５０の操作杆６０とは無関係に、サムターン装置１０によってデッドボルト３の出没作動を行うことができる。
【００１６】
図４に示すように、室外側に設けられるシリンダー５０には、扉７０を厚さ方向にほぼ貫通する取付柱１４が一体的に設けてあり、この取付柱１４の先端部には、先端面に開口して雌ネジ（ネジ穴）１４ａが形成されている。
この雌ネジ１４ａには、座２０を介して扉７０の室内側から取付ネジ１６がねじ込まれる。これにより、扉７０の室内側面に座２０が固定され、室外側面にシリンダー５０が固定される。なお、座２０には、その径方向に軸心から等間隔の位置に取付ネジ１６が差し込まれるネジ穴２０ｂが２ヶ所形成されている。
【００１７】
図５は、座２０を示す図であり、（ａ）は正面図、（ｂ）は、（ａ）のＶ―Ｖ断面図であり、（ｃ）は、（ａ）のＷ―Ｗ断面図である。
図３から図５に示すように、座２０は、略円板状であり、その背面（先端面）２０ａが室内側扉面に当接して固定される。座２０の中央には、軸心に沿って段付穴２１が貫通して形成されている。段付穴２１は、手前の基端側が大径穴２１ａとされる一方、奥の先端側が小径穴２１ｂとされている。
【００１８】
大径穴２１ａの先端面（段付部）２１ｃには、後述する摘み３０に設けられた当り歯３４に当接可能な回動阻止歯２２が、周方向に沿って等間隔に複数個設けられている。本実施例では、９０°間隔に４個、それぞれ基端側に断面略台形状に突出して一体的に形成されている。
【００１９】
これら各回動阻止歯２２は、座２０の軸心から放射状に形成されている。各回動阻止歯２２は、その突出先端面２２ａが、径方向外側に行くに従って、基端側に突出する傾斜面に形成されている。つまり、外周部に行くほど、前記大径穴２１ａの先端面２１ｃから基端側への突出高さを増すよう形成されている。また、各回動阻止歯２２は、中心側から径方向外側に行くに従って、その両側端面２２ｂ，２２ｂが拡幅した形状に形成されている。本実施例では、各回動阻止歯２２の幅方向両端辺が、座２０の径方向に沿って形成されている。しかも、回動阻止歯２２は、前記両側端面２２ｂ，２２ｂが傾斜面とされることで、突出するに従って、その幅寸法が若干狭くなるよう断面略台形状に形成されていることは、上述のとおりである。
【００２０】
図６は、サムターン軸１２に一体的に、かつ傾動自在に連結され、サムターン軸１２を介してハブ４を回動させる摘み３０を示す図であり、（ａ）は側面図、（ｂ）は背面図、（ｃ）は、（ａ）のＵ―Ｕ断面図である。
摘み３０は、摘み本体部３１と、フランジ部３２と、摘み差込部３７とを備える。
【００２１】
フランジ部３２は、段付円板状であり、その大径部３３は、座２０の小径穴２１ｂより大径とされ、かつ、座２０の大径穴２１ａより小径とされる。また、フランジ部３２の小径部３６は、座２０の小径穴２１ｂより小径とされている。
【００２２】
摘み本体部３１は、略矩形板状であり、フランジ部３２の大径部３３の基端面に、その径方向に沿って、垂直に延出して設けられている。本実施例では、摘み本体部３１は、フランジ部３２の大径部３３や座２０の大径穴２１ａよりさらに外方へ延出して形成されている。
【００２３】
摘み差込部３７は、フランジ部３２の小径部３２の先端面に、その径方向に沿って略矩形状に突出して設けられている。本実施例では、摘み差込部３７は、フランジ部３２の小径部３６より外方へ延出し、かつ、座２０の小径穴２１ｂより若干小さく形成されている。また、その径方向両端部は、球面状に形成されている。なお、本実施例では、摘み本体部３１と摘み差込部３７とは、垂直に交差するように、つまり、その各板面が直交する方向に配置される（図６（ｂ））。
【００２４】
摘み差込部３７には、前記径方向に直交する方向（厚さ方向）に沿って、貫通穴３８が形成されている。この貫通穴３８は、軸方向中央部３８ａがやや縮径された略鼓状に形成されている。
また、摘み差込部３７の先端面中央部３７ａは、厚さ方向に沿って円筒面状に突出している。そして、この円筒面３７ａと、前記貫通穴３８とは同心円状に形成されている。
【００２５】
フランジ部３２の大径部３３の先端面（段付部）３３ａには、座２０に設けられた回動阻止歯２２と噛合い可能な当り歯３４が設けられている。本実施例では、９０°間隔に４個、先端側に断面略台形状に突出して一体的に形成されている。
【００２６】
これら各当り歯３４は、フランジ部３２の軸心から放射状に形成されている。各当り歯３４は、その突出先端面３４ａが、径方向内側に行くに従って、先端側に突出する傾斜面に形成されている。つまり、内周部に行くほど、前記大径部３３の先端面３３ａから先端側への突出高さを増すよう形成されている。また、各当り歯３４は、中心側から径方向外側に行くに従って、その両側端面３４ｂ，３４ｂが拡幅した形状に形成されている。本実施例では、各当り歯３４の幅方向両端辺が、フランジ部３２の径方向に沿って形成されている。しかも、当り歯３４は、前記両側端面３４ｂ，３４ｂが傾斜面とされることで、突出するに従って、その幅寸法が若干狭くなるよう断面略台形状に形成されていることは、上述したとおりである。
【００２７】
このような構成の摘み３０は、サムターン軸１２とピン２５により一体的に連結される。なお、後述するが、摘み３０は、ピン２５の軸まわりに傾動可能に、かつ軸方向にも傾動可能に連結される。
【００２８】
サムターン軸１２の基端部には、径方向に沿って、コ字状溝１２ｂが形成されており、そのコ字状溝１２ｂを挟んで一対の突部１３，１３が形成されている。この一対の突部１３，１３には、コ字状溝１２ｂに直交し、かつサムターン軸１２の直径方向に沿って、軸受穴１３ａが形成されている。つまり、この軸受穴１３ａは、各突部１３，１３の対応した位置に同軸上に形成されている。
【００２９】
摘み３０は、摘み差込部３７がサムターン軸１２に形成された突部１３，１３間に差し込まれ、突部１３，１３間に通されるピン２５が、摘み差込部３７の貫通穴３８にも通されてサムターン軸１２に取り付けられる。摘み３０は、ピン２５を軸として回動可能に、すなわちサムターン軸１２に対して傾動可能に取り付けられる。本実施例では、ピン２５の軸方向と、摘み３０の板面方向とが同一方向とされる。
また、摘み差込部３７の貫通穴３８は略鼓状であるので、摘み３０は、貫通穴３８の縮径した中央部３８ａを支点として、サムターン軸１２に対して全方向に傾動可能である。そして、その傾斜した状態では、座２０の回動阻止歯２２と摘み３０の当り歯３４とが噛合い、摘み３０の回動が阻止される。
【００３０】
図３，４に示すように、連結された摘み３０とサムターン軸１２とが座２０の穴２１に挿入された際、フランジ部３２は、座２０の大径穴２１ａ内に収容され、摘み差込部３７は、座２０の小径穴２１ｂ内に収容される。そして、サムターン軸１２には、座２０の先端面２０ａに当接するリテーナー等の係止部材１７が設けられる。これにより、摘み３０及びサムターン軸１２は、座２０に対して回動自在に保持される。そして、サムターン軸１２の先端部１２ａは、ハブ４に接続される。
なお、摘み３０をサムターン軸１２に取り付けた状態では、フランジ部３２の大径部３３の基端面と、座２０の基端面とを面一にするのが好ましい。
【００３１】
本実施例のサムターン装置１０を使用した場合の不正解錠の防止方法について説明する。
図７及び図８は、図３及び図４の状態から不正解錠手段により摘み３０を回動させようとした際に、外力が作用し、摘み３０が傾斜した状態を示す図であり、前記外力は、図７における矢印Ａおよび図８における矢印Ｂの各分力として摘み３０に作用する。
【００３２】
摘み３０が傾くことで、摘み３０のフランジ部３２の当り歯３４が、座２０の回動阻止歯２２に噛合う。そして、この状態で、摘み３０を回動させようとしても、当り歯３４の側端面３４ｂが回動阻止歯２２の側端面２２ｂに当接することで、摘み３０の回動が阻止される。このように、摘み３０をサムターン軸１２と同軸上に配置して、摘み３０を回動させない限り解錠することができない。つまり、回動方向のみの力を正常に摘み３０に加えなければ、解錠することができない。
一方、人が手で摘み３０を回動させる際には、摘み３０には偏心した力がかからず、ほぼ回動方向にのみ力がかかるので、摘み３０を正常に回動させて解錠することができる。
【００３３】
このように、針金等の不正解錠手段で摘み３０を回動させようとした場合、摘み３０には回動方向だけでなく、偏心した力もかかる。従って、摘み３０は、サムターン軸１２に対して傾動し、当り歯３４が回動阻止歯２２間にしっかりと噛合う。そして、その傾斜状態で摘み３０を回動させようとしても、当り歯３４の側端面３４ｂが回動阻止歯２２の側端面２２ｂに当接することで摘み３０を回動させることができない。
【００３４】
しかも、摘み３０は、ピン２５周りに回動可能であると共に、摘み差込部３７の貫通穴３８を中心として、全方向に傾動可能である。つまり、サムターン軸１２の軸心を中心として、全方向に傾くことが可能とされている。故に、不正解錠手段により解錠しようとした際、摘み３０にかかる回動方向以外の力は、全て摘み３０を傾かせる方向にかかり、当り歯３４が回動阻止歯２２と噛合うこととなるので、より一層不正解錠を防止することができる。
【００３５】
なお、当り歯３４の側端面３４ｂ及び回動阻止歯２２の側端面２２ｂを傾斜面としているが、この傾斜角度は、適宜に変更可能である。例えば、摘み３０を解錠方向に回動させた際に当接する当り歯３４の一方の側端面３４ｂと回動阻止歯２２の一方の側端面２２ｂのみを急な傾斜面としてもよい。この場合、解錠に比べ、施錠は容易となる。なお、当り歯３４の側端面３４ｂと回動阻止歯２２の側端面２２ｂを傾斜面とせずに、お互いに垂直状態としても構わない。
【００３６】
つまり、摘み３０を回して解錠する際、回動方向以外の力が加わって摘み３０が傾き、当り歯３４の一方の側端面３４ｂと回動阻止歯２２の一方の側端面２２ｂが当接すると、その当接する各側端面３４ｂ，２２ｂは急な傾斜面であるので、力を加えても回動させることができない。よって、回動方向以外にも力がかかってしまう不正解錠手段による解錠は、より一層困難となる。
【００３７】
一方、施錠する際に当接する当り歯３４の他方の側端面３４ｂと回動阻止歯２２の他方の側端面２２ｂを緩やかな傾斜面とすることで、摘み３０を回して施錠する際に、若干摘み３０が傾いていたとしても、摘み３０を回動させて施錠することが可能である。
【００３８】
また、上記実施例では、摘み３０のフランジ部３２の大径部３３の先端面３３ａに当り歯３４を設けたが、フランジ部３２の周側面に当り歯を設けてもよい。この場合、座２０の内周面に回動阻止歯２２が設けられる。この場合も、上記実施例と同様、当り歯３４が回動阻止部間２２，２２に差し込まれることで不正解錠の防止が可能である。
【００３９】
本実施例の構成によれば、サムターン軸１２の長さを長くすることなく、また座２０の厚さを厚くせずに、不正解錠を防止するサムターン装置を提供することが可能である。つまり、扉７０表面から突出する部分も少なく、従来のサムターン装置とほぼ同じ大きさのままであるので見栄えもよい。
【００４０】
なお、本発明の扉錠とそのサムターン装置は、上記実施例の構成に限らず、適宜変更可能である。例えば、当り歯及び回動阻止歯は、それぞれ端面からの突出量を変化させてその突出先端面を傾斜面としたが、平面状に形成しても構わない。また、各歯の断面形状は、略台形状に限らず三角形状等であっても構わない。
【００４１】
さらに、通常時、摘み３０をサムターン軸１２の軸心に沿って配置させるため、摘み３０の周囲に付勢手段を設置してもよい。
例えば、座２０の大径穴２１ａの内、回動阻止歯２２より基端側の周側面に、その径方向外側に向かって凹部を等間隔に３ヶ所形成する。そして、その凹部の底部に、弾性体たとえばバネの一端を接続する。バネの他端には、凹部に収容可能な支持部材を接続する。支持部材は、例えば球状の部材を使用することができる。
サムターン軸１２に摘み３０を設置した状態において、支持部材をフランジ部３２の大径部３３の周側面にバネの付勢力により当接させることで、何も力がかかっていない通常には、摘み３０は、サムターン軸１２の軸心に沿って配置される。
【００４２】
【発明の効果】
以上詳述したように、本発明の扉錠とそのサムターン装置によれば、針金や紐等の不正解錠手段によって、サムターン装置のサムターン軸を解錠方向に回動させることができず不正解錠できない。また、サムターン軸の長さを長くしたり、座の厚さを厚くせずに、不正解錠を防止するサムターン装置を提供することが可能であり、扉の表面から突出する部分も少なく、従来のサムターン装置とほぼ同じ大きさのままであるので見栄えもよい。
【図面の簡単な説明】
【図１】本発明の扉錠とそのサムターン装置を示す図であり、（ａ）は室内側から見た正面図であり、（ｂ）は戸先側から見た側面図であり、（ｃ）は平面図である。
【図２】図１（ｂ）の中央縦断面図（Ｘ―Ｘ断面図）である。
【図３】図１（ｃ）のＹ―Ｙ拡大断面図である。
【図４】図１（ｂ）のＺ―Ｚ拡大断面図である。
【図５】座２０を示す図であり、（ａ）は正面図、（ｂ）は、（ａ）のＶ―Ｖ断面図であり、（ｃ）は、（ａ）のＷ―Ｗ断面図である。
【図６】サムターン軸を回動させる摘みを示す図であり、（ａ）は側面図、（ｂ）は背面図、（ｃ）は、（ａ）のＵ―Ｕ断面図である。
【図７】不正解錠手段により摘みが傾斜した状態を示す断面図である。
【図８】図７の横断面図である。
【符号の説明】
１  扉錠
２  錠ケース
３  デッドボルト
１０  サムターン装置
１２  サムターン軸
１２ａ  先端部
１２ｂ  コ字状溝
１３  突部
１３ａ  軸受穴
１４  取付柱
２０  座
２０ａ  背面（先端面）
２０ｂ  ネジ穴
２１  段付穴
２１ａ  大径穴
２１ｂ  小径穴
２１ｃ  先端面（段付部）
２２  回動阻止部（回動阻止歯）
２２ａ  突出先端面
２２ｂ  側端面
２５  ピン
３０  摘み
３１  摘み本体部
３２  フランジ部
３３  大径部
３３ａ  先端面（段付部）
３４  当り部（当り歯）
３６  小径部
３７  摘み差込部
３８  貫通穴
５０  シリンダー
５１  内筒
５２  鍵孔
５３  外筒
５４  カラー
５５  下ピン孔
５６  上ピン孔
５７  下ピン
５８  上ピン
５９  ピンバネ
６０  操作杆
７０  扉
７１  取付孔
【図１】
2004176345.tif 000003
【図２】
2004176345.tif 000004
【図３】
2004176345.tif 000005
【図４】
2004176345.tif 000006
【図５】
2004176345.tif 000007
【図６】
2004176345.tif 000008
【図７】
2004176345.tif 000009
【図８】
2004176345.tif 000010